(57)【特許請求の範囲】
【請求項１】
所定の色域外の色を再現可能な画像表示部のための画像処理装置であって、
原画像を表す原画像データに対して画像処理を実行して処理済み画像データを生成し、前記処理済み画像データを前記画像表示部に供給する画像処理部を備え、
前記画像処理部は、
原画像に含まれる第１種の画素に対して第１種の処理を実行する第１の処理部と、
原画像に含まれる第２種の画素に対して第２種の処理を実行する第２の処理部と、
を備え、
前記第１種の処理は、前記第１種の画素の色を、前記所定の色域外の色に設定可能な処理であり、
前記第２種の処理は、前記第２種の画素の色を、前記所定の色域内の色に設定する処理であり、
少なくとも１つの画素値について、前記第１種の処理後の画素値と前記第２種の処理後の画素値とは互いに異なり、
前記画像処理部は、さらに、
前記原画像を、第１種の領域と、第２種の領域と、に区分する領域区分実行部を備え、
前記第１種の領域を構成する各画素は、前記第１種の画素であり、
前記第２種の領域を構成する各画素は、前記第２種の画素である、画像処理装置。
【請求項２】
所定の色域外の色を再現可能な画像表示部のための画像処理装置であって、
原画像を表す原画像データに対して画像処理を実行して処理済み画像データを生成し、前記処理済み画像データを前記画像表示部に供給する画像処理部を備え、
前記画像処理部は、
原画像に含まれる第１種の画素に対して第１種の処理を実行する第１の処理部と、
原画像に含まれる第２種の画素に対して第２種の処理を実行する第２の処理部と、
を備え、
前記第１種の処理は、前記第１種の画素の色を、前記所定の色域外の色に設定可能な処理であり、
前記第２種の処理は、前記第２種の画素の色を、前記所定の色域内の色に設定する処理であり、
少なくとも１つの画素値について、前記第１種の処理後の画素値と前記第２種の処理後の画素値とは互いに異なり、
前記画像処理部は、さらに、
前記原画像を、第１種の原画像と、第２種の原画像と、に区分する画像区分実行部を備え、
前記第１種の原画像は、前記第１種の画素から構成され、
前記第２種の原画像は、前記第２種の画素から構成される、画像処理装置。
【請求項３】
請求項１または２記載の画像処理装置であって、
前記第１種の処理は、前記第１種の画素の彩度を、前記所定の色域外の彩度に変更する処理を含む、画像処理装置。
【請求項４】
請求項３記載の画像処理装置であって、
前記第１種の処理は、さらに、前記第１種の画素の明度と色相とを維持する処理を含む、画像処理装置。
【請求項５】
請求項１ないし４のいずれかに記載の画像処理装置であって、
前記第２種の処理は、前記第２種の画素の彩度を、前記所定の色域内の彩度に変更する処理を含む、画像処理装置。
【請求項６】
請求項５記載の画像処理装置であって、
前記第２種の処理は、さらに、前記第２種の画素の明度と色相とを維持する処理を含む、画像処理装置。
【請求項７】
請求項１ないし６のいずれかに記載の画像処理装置であって、
前記所定の色域は、自然界に存在する色の範囲を示すポインタガマットである、画像処理装置。
【請求項８】
画像表示装置であって、
請求項１ないし７のいずれかに記載の画像処理装置と、
前記画像表示部と、
を備える、画像表示装置。
【請求項９】
請求項８記載の画像表示装置であって、
前記画像表示部は、
前記所定の色域外の色を有する光を含む複数種の光を発光する発光部と、
前記発光部から射出される前記複数種の光を、前記処理済み画像データに応じて変調する非自発光型の光変調部と、
を備える、画像表示装置。
【請求項１０】
請求項８記載の画像表示装置であって、
前記画像表示部は、
前記処理済み画像データに応じて、前記所定の色域外の色を有する光を含む複数種の光を発光する自発光型の光変調部を備える、画像表示装置。
【請求項１１】
所定の色域外の色を再現可能な画像表示部のための画像処理方法であって、
原画像を表す原画像データに対して画像処理を実行して処理済み画像データを生成し、前記処理済み画像データを前記画像表示部に供給する画像処理工程を備え、
前記画像処理工程は、
原画像に含まれる第１種の画素に対して第１種の処理を実行する第１の工程と、
原画像に含まれる第２種の画素に対して第２種の処理を実行する第２の工程と、
を備え、
前記第１種の処理は、前記第１種の画素の色を、前記所定の色域外の色に設定可能な処理であり、
前記第２種の処理は、前記第２種の画素の色を、前記所定の色域内の色に設定する処理であり、
少なくとも１つの画素値について、前記第１種の処理後の画素値と前記第２種の処理後の画素値とは互いに異なり、
前記画像処理工程は、さらに、
前記原画像を、第１種の領域と、第２種の領域と、に区分する領域区分実行工程を備え、
前記第１種の領域を構成する各画素は、前記第１種の画素であり、
前記第２種の領域を構成する各画素は、前記第２種の画素である、画像処理方法。
【請求項１２】
所定の色域外の色を再現可能な画像表示部のための画像処理方法であって、
原画像を表す原画像データに対して画像処理を実行して処理済み画像データを生成し、前記処理済み画像データを前記画像表示部に供給する画像処理工程を備え、
前記画像処理工程は、
原画像に含まれる第１種の画素に対して第１種の処理を実行する第１の工程と、
原画像に含まれる第２種の画素に対して第２種の処理を実行する第２の工程と、
を備え、
前記第１種の処理は、前記第１種の画素の色を、前記所定の色域外の色に設定可能な処理であり、
前記第２種の処理は、前記第２種の画素の色を、前記所定の色域内の色に設定する処理であり、
少なくとも１つの画素値について、前記第１種の処理後の画素値と前記第２種の処理後の画素値とは互いに異なり、
前記画像処理工程は、さらに、
前記原画像を、第１種の原画像と、第２種の原画像と、に区分する画像区分実行工程を備え、
前記第１種の原画像は、前記第１種の画素から構成され、
前記第２種の原画像は、前記第２種の画素から構成される、画像処理方法。
【請求項１３】
所定の色域外の色を再現可能な画像表示部のための画像処理を、コンピュータに実行させるためのコンピュータプログラムであって、
原画像を表す原画像データに対して画像処理を実行して処理済み画像データを生成し、前記処理済み画像データを前記画像表示部に供給する画像処理機能を前記コンピュータに実現させ、
前記画像処理機能は、
原画像に含まれる第１種の画素に対して第１種の処理を実行する第１の機能と、
原画像に含まれる第２種の画素に対して第２種の処理を実行する第２の機能と、
を備え、
前記第１種の処理は、前記第１種の画素の色を、前記所定の色域外の色に設定可能な処理であり、
前記第２種の処理は、前記第２種の画素の色を、前記所定の色域内の色に設定する処理であり、
少なくとも１つの画素値について、前記第１種の処理後の画素値と前記第２種の処理後の画素値とは互いに異なり、
前記画像処理機能は、さらに、
前記原画像を、第１種の領域と、第２種の領域と、に区分する領域区分実行機能を備え、
前記第１種の領域を構成する各画素は、前記第１種の画素であり、
前記第２種の領域を構成する各画素は、前記第２種の画素である、コンピュータプログラム。
【請求項１４】
所定の色域外の色を再現可能な画像表示部のための画像処理を、コンピュータに実行させるためのコンピュータプログラムであって、
原画像を表す原画像データに対して画像処理を実行して処理済み画像データを生成し、前記処理済み画像データを前記画像表示部に供給する画像処理機能を前記コンピュータに実現させ、
前記画像処理機能は、
原画像に含まれる第１種の画素に対して第１種の処理を実行する第１の機能と、
原画像に含まれる第２種の画素に対して第２種の処理を実行する第２の機能と、
を備え、
前記第１種の処理は、前記第１種の画素の色を、前記所定の色域外の色に設定可能な処理であり、
前記第２種の処理は、前記第２種の画素の色を、前記所定の色域内の色に設定する処理であり、
少なくとも１つの画素値について、前記第１種の処理後の画素値と前記第２種の処理後の画素値とは互いに異なり、
前記画像処理機能は、さらに、
前記原画像を、第１種の原画像と、第２種の原画像と、に区分する画像区分実行機能を備え、
前記第１種の原画像は、前記第１種の画素から構成され、
前記第２種の原画像は、前記第２種の画素から構成される、コンピュータプログラム。
【発明の詳細な説明】
【技術分野】
【０００１】
この発明は、画像処理装置、画像処理方法およびコンピュータプログラムに関する。
【背景技術】
【０００２】
プロジェクタなどの画像表示装置は、与えられた原画像データを処理して処理済み画像データを生成し、該処理済み画像データを用いて画像を表示する。
【０００３】
ところで、原画像データを生成する画像生成装置が再現可能な色域と、画像を表示する画像表示装置が再現可能な色域とは、通常、異なっている。このため、画像表示装置では、通常、原画像データの色域（すなわち画像生成装置が再現可能な色域）を、画像表示装置が再現可能な色域に変換するための色域の変換処理が実行される。例えば、画像表示装置が再現可能な色域が、原画像データの色域よりも広い場合には、画像表示装置は、原画像データの色域を画像表示装置が再現可能な色域に拡大する処理を実行する。この結果、原画像内の各画素の色は、画像表示装置が再現可能な色域内の色で再現される。
【０００４】
【特許文献１】特開平６−１３１４２８号公報
【特許文献２】特開平６−２３１２７５号公報
【非特許文献１】山口雅弘, 多原色ディスプレイ, カラーフォーラムJAPAN'99論文集,  73-79, 1999
【非特許文献２】M. R. Pointer, The Gamut of Real Surface Colors. Color Research and Application, vol5, No3, 145-155, 1980
【発明の開示】
【発明が解決しようとする課題】
【０００５】
上記のように、従来の画像表示装置では、色域変換処理の際に、原画像内の各画素に対して１種類の処理（例えば１種類の拡大処理）のみが実行されていた。このため、他の色域変換処理が要望されていた。
【０００６】
この発明は、従来技術における上述の課題を解決するためになされたものであり、新たな色域の変換処理を利用して画像を表示することを目的とする。
【課題を解決するための手段】
【０００７】
本発明は、上述の課題の少なくとも一部を解決するためになされたものであり、以下の形態又は適用例として実現することが可能である。本発明の一形態は、所定の色域外の色を再現可能な画像表示部のための画像処理装置であって；原画像を表す原画像データに対して画像処理を実行して処理済み画像データを生成し、前記処理済み画像データを前記画像表示部に供給する画像処理部を備え；前記画像処理部は；原画像に含まれる第１種の画素に対して第１種の処理を実行する第１の処理部と；原画像に含まれる第２種の画素に対して第２種の処理を実行する第２の処理部と；を備え；前記第１種の処理は、前記第１種の画素の色を、前記所定の色域外の色に設定可能な処理であり；前記第２種の処理は、前記第２種の画素の色を、前記所定の色域内の色に設定する処理であり；少なくとも１つの画素値について、前記第１種の処理後の画素値と前記第２種の処理後の画素値とは互いに異なり；前記画像処理部は、さらに；前記原画像を、第１種の領域と、第２種の領域と、に区分する領域区分実行部を備え；前記第１種の領域を構成する各画素は、前記第１種の画素であり；前記第２種の領域を構成する各画素は、前記第２種の画素である。このような形態であれば、色域の変換処理において、所定の色域を考慮して、互いに異なる第１種の処理と第２種の処理との双方が利用される。具体的には、第１種の画素に対して第１種の処理を実行することによって、第１種の画素の色が所定の色域外の色に設定され得ると共に、第２種の画素に対して第２種の処理を実行することによって、第２種の画素の色が所定の色域内の色に設定される。このように、この画像処理装置では、互いに異なる第１種の処理と第２種の処理との双方が利用されるため、第１種の画素を目立たせることができる。また、こうすれば、１つの原画像に含まれる第１種の領域を第２種の領域よりも目立たせることができる。また、本発明の一形態は、所定の色域外の色を再現可能な画像表示部のための画像処理装置であって；原画像を表す原画像データに対して画像処理を実行して処理済み画像データを生成し、前記処理済み画像データを前記画像表示部に供給する画像処理部を備え；前記画像処理部は；原画像に含まれる第１種の画素に対して第１種の処理を実行する第１の処理部と；原画像に含まれる第２種の画素に対して第２種の処理を実行する第２の処理部と；を備え；前記第１種の処理は、前記第１種の画素の色を、前記所定の色域外の色に設定可能な処理であり；前記第２種の処理は、前記第２種の画素の色を、前記所定の色域内の色に設定する処理であり；少なくとも１つの画素値について、前記第１種の処理後の画素値と前記第２種の処理後の画素値とは互いに異なり；前記画像処理部は、さらに；前記原画像を、第１種の原画像と、第２種の原画像と、に区分する画像区分実行部を備え；前記第１種の原画像は、前記第１種の画素から構成され；前記第２種の原画像は、前記第２種の画素から構成される。このような形態であれば、複数の原画像に含まれる第１種の原画像を第２種の原画像よりも目立たせることができる。その他、本発明は、以下のような形態として実現することも可能である。
【０００８】
［適用例１］  所定の色域外の色を再現可能な画像表示部のための画像処理装置であって、
原画像を表す原画像データに対して画像処理を実行して処理済み画像データを生成し、前記処理済み画像データを前記画像表示部に供給する画像処理部を備え、
前記画像処理部は、
原画像に含まれる第１種の画素に対して第１種の処理を実行する第１の処理部と、
原画像に含まれる第２種の画素に対して第２種の処理を実行する第２の処理部と、
を備え、
前記第１種の処理は、前記第１種の画素の色を、前記所定の色域外の色に設定可能な処理であり、
前記第２種の処理は、前記第２種の画素の色を、前記所定の色域内の色に設定する処理である、画像処理装置。
【０００９】
この画像処理装置では、色域の変換処理において、所定の色域を考慮して、互いに異なる第１種の処理と第２種の処理との双方が利用される。具体的には、第１種の画素に対して第１種の処理を実行することによって、第１種の画素の色が所定の色域外の色に設定され得ると共に、第２種の画素に対して第２種の処理を実行することによって、第２種の画素の色が所定の色域内の色に設定される。このように、この画像処理装置では、互いに異なる第１種の処理と第２種の処理との双方が利用されるため、第１種の画素を目立たせることができる。
【００１０】
［適用例２］  適用例１記載の画像処理装置であって、
前記第１種の処理は、前記第１種の画素の彩度を、前記所定の色域外の彩度に変更する処理を含む、画像処理装置。
【００１１】
［適用例３］  適用例２記載の画像処理装置であって、
前記第１種の処理は、さらに、前記第１種の画素の明度と色相とを維持する処理を含む、画像処理装置。
【００１２】
［適用例４］  適用例１ないし３のいずれかに記載の画像処理装置であって、
前記第２種の処理は、前記第２種の画素の彩度を、前記所定の色域内の彩度に変更する処理を含む、画像処理装置。
【００１３】
［適用例５］  適用例４記載の画像処理装置であって、
前記第２種の処理は、さらに、前記第２種の画素の明度と色相とを維持する処理を含む、画像処理装置。
【００１４】
［適用例６］  適用例１ないし５のいずれかに記載の画像処理装置であって、
前記所定の色域は、自然界に存在する色の範囲を示すポインタガマットである、画像処理装置。
【００１５】
こうすれば、第１種の画素の色が、自然界に存在しない不自然な色に設定されるため、第１種の画素をかなり目立たせることができる。
【００１６】
［適用例７］  適用例１ないし６のいずれかに記載の画像処理装置であって、
前記画像処理部は、さらに、
前記原画像を、第１種の領域と、第２種の領域と、に区分する領域区分実行部を備え、
前記第１種の領域を構成する各画素は、前記第１種の画素であり、
前記第２種の領域を構成する各画素は、前記第２種の画素である、画像処理装置。
【００１７】
こうすれば、１つの原画像に含まれる第１種の領域を第２種の領域よりも目立たせることができる。
【００１８】
［適用例８］  適用例１ないし６のいずれかに記載の画像処理装置であって、
前記画像処理部は、さらに、
複数の前記原画像を、第１種の原画像と、第２種の原画像と、に区分する画像区分実行部を備え、
前記第１種の原画像を構成する各画素は、前記第１種の画素であり、
前記第２種の原画像を構成する各画素は、前記第２種の画素である、画像処理装置。
【００１９】
こうすれば、複数の原画像に含まれる第１種の原画像を第２種の原画像よりも目立たせることができる。
【００２０】
［適用例９］  画像表示装置であって、
適用例１ないし８のいずれかに記載の画像処理装置と、
前記画像表示部と、
を備える、画像表示装置。
【００２１】
［適用例１０］  適用例９記載の画像表示装置であって、
前記画像表示部は、
前記所定の色域外の色を有する光を含む複数種の光を発光する発光部と、
前記発光部から射出される前記複数種の光を、前記処理済み画像データに応じて変調する非自発光型の光変調部と、
を備える、画像表示装置。
【００２２】
［適用例１１］  適用例９記載の画像表示装置であって、
前記画像表示部は、
前記処理済み画像データに応じて、前記所定の色域外の色を有する光を含む複数種の光を発光する自発光型の光変調部を備える、画像表示装置。
【００２３】
なお、この発明は、画像処理装置および方法、画像表示装置および方法、これらの方法または装置の機能を実現するためのコンピュータプログラム、そのコンピュータプログラムを記録した記録媒体、そのコンピュータプログラムを含み搬送波内に具現化されたデータ信号、等の種々の態様で実現することができる。
【発明を実施するための最良の形態】
【００２４】
次に、本発明の実施の形態を実施例に基づいて以下の順序で説明する。
Ａ．第１実施例：
Ａ−１．プロジェクタの構成：
Ａ−２．画像処理部の処理：
Ａ−２−１．色域：
Ａ−２−２．画像処理の手順：
Ａ−３．変形例：
Ｂ．第２実施例：
【００２５】
Ａ．第１実施例：
Ａ−１．プロジェクタの構成：
図１は、第１実施例におけるプロジェクタＰＪの概略構成を示す説明図である。プロジェクタＰＪは、３つの照明光学系１１０Ｒ，Ｇ，Ｂと、３つの液晶ライトバルブ１２０Ｒ，Ｇ，Ｂと、投写光学系１３０と、制御回路２００と、を備えている。なお、図１では、光学系の図示は、かなり簡略化されている。
【００２６】
照明光学系１１０Ｒ，Ｇ，Ｂは、それぞれ、発光デバイス１１２Ｒ，Ｇ，Ｂを備えている。発光デバイス１１２Ｒ，Ｇ，Ｂは、それぞれ、半導体レーザを備えており、赤色光と緑色光と青色光とを射出する。
【００２７】
液晶ライトバルブ１２０Ｒ，Ｇ，Ｂは、それぞれ、照明光学系１１０Ｒ，Ｇ，Ｂから射出された色光を変調する。これにより、各液晶ライトバルブ１２０Ｒ，Ｇ，Ｂの射出面には、各色の画像を表す光（画像光）が形成される。
【００２８】
投写光学系１３０は、３つの液晶ライトバルブ１２０Ｒ，Ｇ，Ｂに形成された３つの色の画像光をスクリーンＳＣ上に投写して、スクリーンＳＣ上にカラー画像を表示する。
【００２９】
制御回路２００は、発光制御部２１０と、変調制御部２２０と、画像処理部２３０と、を備えている。
【００３０】
発光制御部２１０は、３つの発光デバイス１１２Ｒ，Ｇ，Ｂを制御して、３つの色光を射出させる。
【００３１】
変調制御部２２０は、画像処理部２３０から与えられる処理済み画像データに応じて、３つの液晶ライトバルブ１２０Ｒ，Ｇ，Ｂを制御して、３つの照明光学系１１０Ｒ，Ｇ，Ｂから射出された３つの色光を変調させる。
【００３２】
画像処理部２３０は、領域区分実行部２４０と、処理実行部２５０と、を備えており、原画像を表す画像データに対して画像処理を施し、処理済み画像を表す処理済み画像データを生成する。
【００３３】
領域区分実行部２４０は、条件設定部２４２を含んでいる。条件設定部２４２は、領域区分実行部２４０の動作条件、すなわち、領域を区分するための条件を設定する。領域区分実行部２４０は、条件設定部２４２から条件を取得し、該条件に従って、原画像データによって表される原画像を、強調領域と非強調領域とに区分する。ここで、強調領域は、強調処理が施されるべき領域であり、非強調領域は、非強調処理が施されるべき領域である。
【００３４】
処理実行部２５０は、強調処理部２５２と、非強調処理部２５４と、を備えている。強調処理部２５２は、原画像内の強調領域に属する各画素に対して、強調処理を施す。非強調処理部２５４は、原画像内の非強調領域に属する各画素に対して、非強調処理を施す。ここで、強調処理は、原画像内の画素の色を、スクリーンＳＣ上で自然界に存在しない不自然な色で表現するための処理である。また、非強調処理は、原画像内の画素の色を、スクリーンＳＣ上で自然界に存在する自然な色で表現するための処理である。
【００３５】
なお、本実施例におけるプロジェクタＰＪが本発明における画像表示装置に相当する。また、本実施例における発光デバイス１１２Ｒ，Ｇ，Ｂと液晶ライトバルブ１２０Ｒ，Ｇ，Ｂとが本発明における画像表示部に相当し、発光デバイス１１２Ｒ，Ｇ，Ｂが本発明における発光部に相当し、液晶ライトバルブ１２０Ｒ，Ｇ，Ｂが本発明における非自発光型の変調部に相当する。さらに、本実施例における強調処理部２５２が本発明における第１の処理部に相当し、強調処理が第１種の処理に相当する。また、本実施例における非強調処理部２５４が本発明における第２の処理部に相当し、非強調処理が第２種の処理に相当する。
【００３６】
Ａ−２．画像処理部の処理：
本実施例における画像処理部２３０の具体的な処理の説明に先行して、色域について説明する。
【００３７】
Ａ−２−１．色域：
図２は、ポインタガマットＷＰを示す説明図である。図２では、ｕ’ｖ’色度図が示されている。周知のように、領域ＷＳの周囲は純色を示し、領域ＷＳによってすべての色が表現される。なお、領域ＷＳにおいて、外周側の色は、中心側の色よりも高い彩度を有する。また、領域ＷＳの中心付近の色は、白色（無彩色）である。
【００３８】
領域ＷＳの内側に描かれた色域ＷＰは、ポインタガマット（Pointer Gamut）である。ポインタガマットは、物体色の取り得る範囲、換言すれば、自然界に存在する色の範囲を示す。なお、ポインタガマットについては、M. R. Pointerの論文（M. R. Pointer, The Gamut of Real Surface Colors. Color Research and Application, vol5, No3, 145-155, 1980）に詳述されている。
【００３９】
本実施例では、画像処理部２３０は、ポインタガマットＷＰを考慮して、画像処理を実行する。
【００４０】
ところで、入力系（画像生成装置）が再現可能な色域と、出力系（画像表示装置）が再現可能な色域とは、通常、異なっている。このため、通常、出力系（画像表示装置）では、色域の変換処理（ガマットマッピング）が実行される。
【００４１】
図３は、色域の変換処理を示す説明図である。図３（Ａ）は、色域の縮小処理を示し、図３（Ｂ）は、色域の拡大処理を示す。
【００４２】
図３（Ａ）に示す色域Ｗｉは、入力系（画像生成装置）が再現可能な色域、換言すれば、原画像データの意図する色域を示している。また、図３（Ａ）に示す色域Ｗ１は、第１の出力系（画像表示装置）が再現可能な第１の色域を示している。
【００４３】
図３（Ａ）に示すように、第１の出力系の色域Ｗ１は、入力系の色域Ｗｉよりも狭い。すなわち、第１の出力系は、原画像データの意図するすべての色を再現できない。このため、第１の出力系は、色域Ｗｉ内の各色を、色域Ｗ１内の色で再現する。例えば、第１の出力系は、色域Ｗｉ内の点Ｐｉによって示される色を表示できないため、点Ｐｉによって示される色に代えて、色域Ｗ１内の点Ｐ１によって示される色を表示する。このように、第１の出力系の色域Ｗ１が入力系の色域Ｗｉよりも狭い場合には、色域の縮小処理が行われる。
【００４４】
図３（Ｂ）に示す色域Ｗｉは、図３（Ａ）と同じである。また、図３（Ｂ）に示す色域Ｗ２は、第２の出力系（画像表示装置）が再現可能な第２の色域を示している。
【００４５】
図３（Ｂ）に示すように、第２の出力系の色域Ｗ２は、入力系の色域Ｗｉよりも広い。すなわち、第２の出力系は、原画像データの意図するすべての色を再現できると共に、他の色（すなわち、色域Ｗｉに含まれない色）も再現可能である。このため、第２の出力系は、色域Ｗｉ内の各色を、色域Ｗ２内の色で再現する。例えば、第２の出力系は、色域Ｗｉ内の点Ｐｉによって示される色に代えて、色域Ｗ２内の点Ｐ２によって示される色を表示する。このように、第２の出力系の色域Ｗ２が入力系の色域Ｗｉよりも広い場合には、色域の拡大処理が行われる。
【００４６】
図４は、プロジェクタＰＪが再現可能な色域を示す説明図である。図４に示す色域Ｗｉは、図３（Ａ），（Ｂ）と同じである。また、図４に示す色域Ｗｏは、プロジェクタＰＪが再現可能な色域を示している。なお、三角形の色域Ｗｏの３つの頂点は、３つの発光デバイス１１２Ｒ，Ｇ，Ｂから射出される３つの光の色を示している。
【００４７】
図示するように、プロジェクタＰＪの色域Ｗｏは、図３（Ｂ）に示す色域Ｗ２と同様に、入力系の色域Ｗｉよりも広い。このため、本実施例では、色域の拡大処理が行われる。
【００４８】
ただし、本実施例では、プロジェクタＰＪの色域Ｗｏは、図３（Ｂ）と異なり、部分的にポインタガマットＷＰよりも広い。このため、仮に、プロジェクタＰＪが色域Ｗｉ内の各色を色域Ｗｏ内の色で再現すると、スクリーンＳＣ上には、自然界に存在しない不自然な色が表現され得る。具体的には、図３（Ｂ）では、入力系の色域Ｗｉ内の点Ｐｉによって示される色は、ポインタガマットＷＰ内部の点Ｐ２によって示される色、すなわち、自然界に存在する自然な色で表現される。一方、図４では、入力系の色域Ｗｉ内の点Ｐｉによって示される色は、ポインタガマットＷＰ外の点Ｐｏによって示される色、すなわち、自然界に存在しない不自然な色で表現され得る。
【００４９】
このため、本実施例では、プロジェクタＰＪは、入力系の色域Ｗｉ内の各色を、図４のハッチングが付された重なり領域Ｗａ内の色で表現する。ここで、重なり領域Ｗａは、プロジェクタＰＪの色域Ｗｏと、ポインタガマットＷＰと、が重なる領域である。
【００５０】
しかしながら、上記の場合には、プロジェクタＰＪが再現可能な色域Ｗｏのうち、図４のクロスハッチングが付された３つの小領域Ｗｒ，Ｗｇ，Ｗｂ内の色が利用されない。ここで、３つの小領域Ｗｒ，Ｗｇ，Ｗｂは、プロジェクタＰＪの色域Ｗｏから重なり領域Ｗａを除いた領域である。
【００５１】
そこで、本実施例では、３つの小領域Ｗｒ，Ｗｇ，Ｗｂ内の色の利用が許容されている。換言すれば、本実施例では、自然界に存在しない不自然な色を利用して、画像が表示される。
【００５２】
Ａ−２−２．画像処理の手順：
図５は、第１実施例における画像処理の手順を示すフローチャートである。図５の処理は、画像処理部２３０によって実行される。なお、ステップＳ１１０の処理は、ステップＳ１２０〜Ｓ１５０のための前処理である。
【００５３】
ステップＳ１１０では、条件設定部２４２は、領域区分（ステップＳ１３０）のための条件を設定する。具体的には、条件設定部２４２は、ユーザからの指示に従って、ユーザインタフェース画面を表示させる。そして、条件設定部２４２は、該インタフェース画面を介してユーザによって与えられる指示に基づいて、領域区分のための条件を設定する。なお、本実施例では、強調領域を選択するための選択条件が設定される。
【００５４】
ステップＳ１２０では、領域区分実行部２４０は、原画像データを取得する。ステップＳ１３０では、領域区分実行部２４０は、ステップＳ１１０で設定された条件に従って、原画像内の強調領域を選択することによって、原画像を、強調領域と非強調領域とに区分する。
【００５５】
図６は、原画像内の強調領域の例を示す説明図である。図６（Ａ）に示す原画像は、文字領域と、文字領域以外の背景領域と、を含んでいる。図６（Ａ）の原画像では、文字領域が強調領域に区分され、他の背景領域が非強調領域に区分される。
【００５６】
このように、文字領域を強調領域として選択する場合には、例えば、領域区分実行部２４０は、ステップＳ１１０で設定された条件に従って、特定色を有する画素群を強調領域として選択すればよい。あるいは、領域区分実行部２４０は、ステップＳ１１０で設定された条件に従って、エッジ抽出処理を実行し、エッジに囲まれた画素群（領域）を強調領域として選択すればよい。
【００５７】
なお、図６（Ａ）では、文字領域を構成するすべての文字部分が強調領域として選択されているが、これに代えて、文字領域のうちの一部の文字部分が強調領域として選択されてもよい。
【００５８】
図６（Ｂ）に示す原画像は、人物が表現された人物領域と、特定の対象物（宝物）が表現された対象物領域と、これらの領域以外の背景領域と、を含んでいる。図６（Ｂ）の原画像では、対象物領域が強調領域に区分され、他の人物領域と背景領域とが非強調領域に区分される。
【００５９】
このように、対象物領域を強調領域として選択する場合には、例えば、領域区分実行部２４０は、ステップＳ１１０で設定された条件に従って、特定色を有する画素群を強調領域として選択すればよい。あるいは、領域区分実行部２４０は、ステップＳ１１０で設定された条件に従って、パターンマッチング処理を実行し、特定のパターンと一致する領域を強調領域として選択すればよい。なお、特定のパターンは、ユーザによって予め指定される。
【００６０】
ステップＳ１４０（図５）では、処理実行部２５０は、原画像内の強調領域に対して強調処理を実行すると共に、原画像内の非強調領域に対して非強調処理を実行する。この結果、処理済み画像が得られる。
【００６１】
図７は、ステップＳ１４０（図５）の具体的な処理手順を示すフローチャートである。ステップＳ２１０では、処理実行部２５０は、原画像内の画素を順次選択する。
【００６２】
ステップＳ２２０では、処理実行部２５０は、選択された画素が、強調領域内の画素であるか否かを判断する。選択された画素が強調領域内の画素である場合には、ステップＳ２３０に進み、選択された画素が非強調領域内の画素である場合には、ステップＳ２４０に進む。
【００６３】
ステップＳ２３０では、強調処理部２５２は、選択された強調領域内の各画素に対して、強調処理を実行する。具体的には、ステップＳ２３２，Ｓ２３４，Ｓ２３６の処理が実行される。
【００６４】
ステップＳ２３２では、ＲＧＢ色空間からＬ*ａ*ｂ*色空間への変換が実行される。ただし、実際には、ＲＧＢ色空間からＸＹＺ色空間への変換が実行された後に、ＸＹＺ色空間からＬ*ａ*ｂ*色空間への変換が実行される。なお、ＲＧＢ色空間で表現可能な色の範囲が、前述の入力系の色域Ｗｉ（すなわち、原画像の色域）である。
【００６５】
ステップＳ２３４では、画素の色を変更する第１の色変更処理が行われる。ステップＳ２３４の第１の色変更処理については、後述する。
【００６６】
ステップＳ２３６では、Ｌ*ａ*ｂ*色空間からＲ’Ｇ’Ｂ’色空間への変換が実行される。ただし、実際には、Ｌ*ａ*ｂ*色空間からＸＹＺ色空間への変換が実行された後に、ＸＹＺ色空間からＲ’Ｇ’Ｂ’色空間への変換が実行される。なお、Ｒ’Ｇ’Ｂ’色空間で表現可能な色の範囲が、前述のプロジェクタＰＪの色域Ｗｏである。
【００６７】
ステップＳ２３０の強調処理を実行することによって、選択された画素を構成する３つの色データの値（ｒ，ｇ，ｂ）が変更されて、値（ｒ1’，ｇ1’，ｂ1’）が得られる。なお、値（ｒ，ｇ，ｂ）は、ＲＧＢ色空間内の色を示し、値（ｒ1’，ｇ1’，ｂ1’）は、Ｒ’Ｇ’Ｂ’色空間内の色を示す。
【００６８】
一方、ステップＳ２４０では、非強調処理部２５４は、選択された非強調領域内の各画素に対して、非強調処理を実行する。具体的には、ステップＳ２４２，Ｓ２４４，Ｓ２４６の処理が実行される。
【００６９】
ステップＳ２４２では、ステップＳ２３２と同様に、ＲＧＢ色空間からＬ*ａ*ｂ*色空間への変換が実行される。
【００７０】
ステップＳ２４４では、画素の色を変更する第２の色変更処理が行われる。ステップＳ２４４の第２の色変更処理については、後述する。
【００７１】
ステップＳ２４６では、ステップＳ２３６と同様に、Ｌ*ａ*ｂ*色空間からＲ’Ｇ’Ｂ’色空間への変換が実行される。
【００７２】
ステップＳ２４０の非強調処理を実行することによって、選択された画素を構成する３つの色データの値（ｒ，ｇ，ｂ）が変更されて、値（ｒ2’，ｇ2’，ｂ2’）が得られる。なお、値（ｒ2’，ｇ2’，ｂ2’）は、Ｒ’Ｇ’Ｂ’色空間内の色を示す。
【００７３】
ステップＳ２５０（図７）では、処理実行部２５０は、原画像内に選択されていない画素が未だ存在するか否かを判断する。原画像内に選択されていない画素が未だ存在する場合には、ステップＳ２１０に戻る。原画像内のすべての画素が選択された場合には、図７の処理、すなわち、図５のステップＳ１４０の処理が終了する。
【００７４】
ステップＳ１５０（図５）では、処理実行部２５０は、ステップＳ１４０で得られた処理済み画像データを変調制御部２２０に供給する。変調制御部２２０は、処理済み画像データを用いて、液晶ライトバルブ１２０Ｒ，Ｇ，Ｂを制御する。この結果、スクリーンＳＣ上には、原画像内の強調領域が強調された処理済み画像が表示される。
【００７５】
図８は、図７のステップＳ２３４，Ｓ２４４の色変更処理の概要を示す説明図である。図８（Ａ）は、Ｌ*ａ*ｂ*表色系の色空間を示している。図８（Ｂ）は、Ｌ*ａ*ｂ*表色系の色度図を示す。なお、図８（Ｂ）は、図８（Ａ）に示す球体を、特定の値Ｌ*を通り、かつ、ａ*軸，ｂ*軸に平行な面で切断したときの断面図である。
【００７６】
Ｌ*ａ*ｂ*表色系では、明度は、Ｌ*の値で表され、色相，彩度は、ａ*，ｂ*の値で表される。特に、彩度Ｃ*は、√（(ａ*)2＋(ｂ*)2）で表される。すなわち、図８（Ａ）において、Ｌ*軸に沿って＋側に向かうほど明度が高くなる。また、図８（Ａ），（Ｂ）において、Ｌ*軸から離れる程、彩度が高くなる。また、図８（Ａ），（Ｂ）において、Ｌ*軸を中心に回転すると、色相が変化する。
【００７７】
ステップＳ２１０で選択された画素が、点Ｐａの座標で表される色を有すると仮定する。換言すれば、選択された画素の色データの値が、ステップＳ２３２またはステップＳ２４２の色空間変換処理を経て、点Ｐａを示す座標値に変換されると仮定する。選択された画素が強調領域内の画素である場合には、該画素に対してステップＳ２３４の第１の色変更処理が施され、この結果、該画素の色は、点Ｐａ１の座標で表される色に変更される。一方、選択された画素が非強調領域内の画素である場合には、該画素に対してステップＳ２３４の第２の色変更処理が施され、この結果、該画素の色は、点Ｐａ２の座標で表される色に変更される。
【００７８】
図８（Ａ），（Ｂ）から分かるように、３つの点Ｐａ，Ｐａ１，Ｐａ２で表される３つの色は、同じ明度を有している。また、３つの点Ｐａ，Ｐａ１，Ｐａ２で表される３つの色は、同じ色相を有している。ただし、３つの点Ｐａ，Ｐａ１，Ｐａ２で表される３つの色は、異なる彩度を有している。この説明から分かるように、ステップＳ２３４，２４４の色変更処理では、選択された画素の明度と色相とが維持されたまま、選択された画素の彩度を変更することによって、選択された画素の色が変更されている。
【００７９】
なお、点Ｐａで表される色は、入力系の色域Ｗｉ内部の色を示す。ステップＳ２３４の第１の色変換処理後に得られる点Ｐａ１で表される色は、図４に示す重なり領域Ｗａ外部の色、すなわち、３つの小領域Ｗｒ，Ｗｇ，Ｗｂ内部の色を示す。また、ステップＳ２４４の第２の色変換処理後に得られる点Ｐａ２で表される色は、図４に示す重なり領域Ｗａ内部の色を示す。
【００８０】
図９は、図７のステップＳ２３０の強調処理の内容と、図７のステップＳ２４０の非強調処理の内容と、を模式的に示す説明図である。図９（Ａ）は、ステップＳ２３４，２４４の色変換処理の内容を示し、図９（Ｂ）は、ステップＳ２３０，２４０の処理の内容を示す。なお、図９（Ａ）には、図８（Ａ），（Ｂ）に示す３つの点Ｐａ，Ｐａ１，Ｐａ２によって示される３つの色の３つの彩度Ｃａ，Ｃａ１，Ｃａ２が示されている。
【００８１】
図９（Ａ）の横軸は、ステップＳ２３４，Ｓ２４４の処理の前における画素の彩度Ｃを示し、縦軸は、ステップＳ２３４，Ｓ２４４の処理の後における画素の彩度Ｃ’を示す。直線Ｄ１は、ステップＳ２３４の第１の色変更処理の特性を示し、直線Ｄ２は、ステップＳ２４４の第２の色変更処理の特性を示す。
【００８２】
図９（Ａ）に示す第１の基準線ＬＤａは、図４に示す重なり領域Ｗａの外縁に対応し、第２の基準線ＬＤｏは、図４に示すプロジェクタＰＪの色域Ｗｏの外縁に対応する。すなわち、第１の基準線ＬＤａよりも上側は、図４に示す３つの小領域Ｗｒ，Ｗｇ，Ｗｂ内部の彩度を示し、第１の基準線ＬＤａよりも下側は、重なり領域Ｗａ内部の彩度を示す。
【００８３】
直線Ｄ１から分かるように、強調領域内の画素の彩度Ｃは、ステップＳ２３４の第１の色変更処理を経て大きくなる。具体的には、画素の彩度Ｃ（例えばＣａ）は、重なり領域Ｗａ外（すなわち、ポインタガマットＷＰ外）の彩度Ｃ’（例えばＣａ１）に変更される。
【００８４】
また、直線Ｄ２から分かるように、非強調領域内の画素の彩度Ｃは、ステップＳ２４４の色変更処理を経て大きくなる。ただし、画素の彩度Ｃ（例えばＣａ）は、重なり領域Ｗａ内（すなわち、ポインタガマットＷＰ内）の彩度Ｃ’（例えばＣａ２）に変更される。
【００８５】
図９（Ｂ）の横軸は、ステップＳ２３０，Ｓ２４０の処理の前における画素の色データの値（ｒ，ｇ，ｂ）を示し、縦軸は、ステップＳ２３０，Ｓ２４０の処理の後における画素の色データの値（ｒ’，ｇ’，ｂ’）を示す。直線Ｅ１は、ステップＳ２３０の強調処理の特性を示し、直線Ｅ２は、ステップＳ２４０の非強調処理の特性を示す。
【００８６】
図９（Ｂ）に示す第１の基準線ＬＥａは、図４に示す重なり領域Ｗａの外縁に対応し、第２の基準線ＬＥｏは、図４に示すプロジェクタＰＪの色域Ｗｏの外縁に対応する。すなわち、第１の基準線ＬＥａよりも上側は、図４に示す３つの小領域Ｗｒ，Ｗｇ，Ｗｂ内部の色を示し、第１の基準線ＬＥａよりも下側は、該重なり領域Ｗａ内部の色を示す。
【００８７】
直線Ｅ１から分かるように、強調領域内の画素の色データの値は、強調処理を経て変更される。具体的には、画素の色データの値（ｒ，ｇ，ｂ）は、重なり領域Ｗａ外（すなわち、ポインタガマットＷＰ外）の色を示す値（ｒ1’，ｇ1’，ｂ1’）に変更される。
【００８８】
また、直線Ｅ２から分かるように、非強調領域内の画素の色データの値は、非強調処理を経て変更される。具体的には、画素の色データの値（ｒ，ｇ，ｂ）は、重なり領域Ｗａ内（すなわち、ポインタガマットＷＰ内）の色を示す値（ｒ2’，ｇ2’，ｂ2’）に変更される。
【００８９】
図９（Ａ），（Ｂ）に示すように、本実施例では、選択された画素が強調領域内の画素である場合には、該画素の色が、重なり領域Ｗａ外（すなわち小領域Ｗｒ，Ｗｇ，Ｗｂ内）の色に変更される。換言すれば、該画素の色は、ポインタガマットＷＰ外の色に変更される。一方、選択された画素が非強調領域内の画素である場合には、該画素の色が、重なり領域Ｗａ内の色に変更される。換言すれば、該画素の色は、ポインタガマットＷＰ内の色に変更される。
【００９０】
これにより、プロジェクタＰＪは、原画像内の強調領域に含まれる画素の色を、スクリーンＳＣ上で自然界に存在しない不自然な色で表現することができると共に、原画像内の非強調領域に含まれる画素の色を、スクリーンＳＣ上で自然界に存在する自然な色で表現することができる。
【００９１】
以上説明したように、本実施例では、プロジェクタＰＪは、ポインタガマットＷＰ外の３つの色光を射出する発光デバイス１１２Ｒ，Ｇ，Ｂを備えている。そして、画像処理部２３０は、原画像を強調領域と非強調領域とに区分し、強調領域内の画素の色を、ポインタガマットＷＰ外の色に設定すると共に、非強調領域内の画素の色を、ポインタガマットＷＰ内の色に設定する。このため、ポインタガマットＷＰ外の色を利用して画像を表示することができる。また、原画像に含まれる強調領域を非強調領域よりも目立たせることができる。
【００９２】
なお、本実施例では、図４に示すように、プロジェクタＰＪの色域Ｗｏが、ポインタガマットＷＰを完全に包含していない場合を想定している。このため、本実施例では、強調処理は、画素の色相が、特定の範囲の色相（例えば緑色）に属する場合にのみ、実行される。換言すれば、本実施例では、画素の色相が特定の範囲の色相に属する場合にのみ、該画素は、強調領域として選択され得る。しかしながら、プロジェクタＰＪの色域ＷｏがポインタガマットＷＰを完全に包含する場合には、画素の色相に関わらず、該画素は、強調領域として選択可能であり、該画素に対して強調処理を実行可能である。
【００９３】
Ａ−３．変形例：
本例は、第１実施例とほぼ同じであるが、ステップＳ２３０の強調処理およびステップＳ２４０の非強調処理の内容が変更されている。
【００９４】
図１０は、変形例における図７のステップＳ２３０の強調処理の内容と、図７のステップＳ２４０の非強調処理の内容と、を模式的に示す説明図であり、図９に対応する。図１０は、図９とほぼ同じであるが、図１０（Ａ）に示す直線Ｄ１’と、図１０（Ｂ）に示す直線Ｅ１’と、が変更されている。なお、直線Ｄ１’は、ステップＳ２３４の第１の色変更処理の特性を示し、直線Ｅ１’は、ステップＳ２３０の強調処理の特性を示す。
【００９５】
図１０（Ａ）の直線Ｄ１’から分かるように、強調領域内の画素の彩度Ｃは、ステップＳ２３４の第１の色変更処理を経て大きくなる。ただし、比較的彩度の高い一部の画素の彩度Ｃは、重なり領域Ｗａ外（すなわち、ポインタガマットＷＰ外）の彩度Ｃ’に変更されるが、他の比較的彩度の低い画素の彩度Ｃは、重なり領域Ｗａ内（すなわち、ポインタガマットＷＰ内）の彩度Ｃ’に変更される。
【００９６】
また、図９（Ｂ）の直線Ｅ１’から分かるように、強調領域内の画素の色データの値は、強調処理を経て変更される。ただし、一部の画素の色データの値は、重なり領域Ｗａ外（すなわち、ポインタガマットＷＰ外）の色を示す値に変更されるが、他の画素の色データの値は、重なり領域Ｗａ内（すなわち、ポインタガマットＷＰ内）の色を示す値に変更される。
【００９７】
なお、本例でも、選択された画素の明度と色相とが維持されたまま、選択された画素の彩度が変更される。
【００９８】
上記の説明から分かるように、第１実施例では、原画像内の強調領域に含まれるすべての画素は、スクリーンＳＣ上で自然界に存在しない不自然な色で表現される。しかしながら、本例では、原画像内の強調領域に含まれる一部の画素は、スクリーンＳＣ上で自然界に存在しない不自然な色で表現され、強調領域に含まれる他の画素は、スクリーンＳＣ上で自然界に存在する自然な色で表現される。
【００９９】
以上説明したように、第１実施例（図９）では、強調領域内の画素の色は、ポインタガマットＷＰ外の色のみに設定されると共に、非強調領域内の画素の色は、ポインタガマットＷＰ内の色のみに設定される。一方、本例（図１０）では、強調領域内の画素の色は、ポインタガマットＷＰ外の色に設定され得ると共に、非強調領域内の画素の色は、ポインタガマットＷＰ内の色のみに設定される。本例を採用する場合にも、第１実施例と同様に、ポインタガマットＷＰ外の色を利用して画像を表示することができる。
【０１００】
Ｂ．第２実施例：
図１１は、第２実施例におけるプロジェクタＰＪＢの概略構成を示す説明図であり、図１に対応する。なお、第１実施例では、プロジェクタＰＪの色域ＷｏがポインタガマットＷＰを完全に包含していない場合を想定して説明したが、本実施例では、プロジェクタＰＪＢの色域が、ポインタガマットＷＰを完全に包含している場合を想定して説明する。
【０１０１】
図１１は、図１とほぼ同じであるが、制御回路２００Ｂの画像処理部２３０Ｂが変更されている。画像処理部２３０Ｂは、画像区分実行部２４０Ｂと、処理実行部２５０Ｂと、を備えている。
【０１０２】
画像区分実行部２４０Ｂは、条件設定部２４２Ｂを含んでいる。条件設定部２４２Ｂは、画像区分実行部２４０Ｂの動作条件、すなわち、画像を区分するための条件を設定する。画像区分実行部２４０Ｂは、条件設定部２４２Ｂから条件を取得し、該条件に従って、原画像データによって表される原画像を、強調画像と非強調画像とに区分する。ここで、強調画像は、強調処理が施されるべき原画像であり、非強調画像は、非強調処理が施されるべき原画像である。
【０１０３】
処理実行部２５０Ｂは、強調処理部２５２Ｂと、非強調処理部２５４Ｂと、を備えている。強調処理部２５２Ｂは、強調画像（原画像）内の各画素に対して、強調処理を施す。非強調処理部２５４Ｂは、非強調画像（原画像）内の各画素に対して、非強調処理を施す。
【０１０４】
図１２は、第２実施例における画像処理の手順を示すフローチャートであり、図５，図７に対応する。図１２の処理は、画像処理部２３０Ｂによって実行される。なお、ステップＳ３１０の処理は、ステップＳ３２０〜Ｓ３６０のための前処理である。
【０１０５】
ステップＳ３１０では、画像区分実行部２４０Ｂは、画像区分（ステップＳ３３０）のための条件を設定する。具体的には、条件設定部２４２Ｂは、ユーザからの指示に従って、ユーザインタフェース画面を表示させる。そして、条件設定部２４２Ｂは、該インタフェース画面を介してユーザによって与えられる指示に基づいて、画像区分のための条件を設定する。
【０１０６】
ステップＳ３２０では、画像区分実行部２４０Ｂは、原画像データを順次取得する。
【０１０７】
ステップＳ３３０では、画像区分実行部２４０Ｂは、ステップＳ３１０で設定された条件に従って、順次取得した原画像を、強調画像と非強調画像とに区分する。
【０１０８】
図１３は、強調画像の例と非強調画像の例とを示す説明図である。図１３（Ａ）に示す原画像は、ＣＧ（コンピュータグラフィックス）画像であり、本実施例では、強調画像に区分される。図１３（Ｂ）に示す原画像は、カメラで撮影された自然画であり、本実施例では、非強調画像に区分される。
【０１０９】
上記のように原画像の区分を行う場合には、例えば、画像区分実行部２４０Ｂは、ステップＳ３１０で設定された条件に従って、輝度値に応じた画素の発生頻度の分布図（ヒストグラム）を作成し、該分布の状態に応じて、原画像の区分を実行すればよい。具体的には、分布が離散的である場合には、該原画像は、ＣＧ画像である可能性が高いため、強調画像に区分され、分布が連続的である場合には、該原画像は、自然画である可能性が高いため、非強調画像に区分されればよい。
【０１１０】
あるいは、画像区分実行部２４０Ｂは、ステップＳ３１０で設定された条件に従って、原画像に含まれる色の数をカウントし、色数に応じて、原画像の区分を実行すればよい。具体的には、色数が比較的少ない場合には、該原画像は、ＣＧ画像である可能性が高いため、強調画像に区分され、色数が比較的多い場合には、該原画像は、自然画である可能性が高いため、非強調画像に区分されればよい。
【０１１１】
なお、本実施例では、ＣＧ画像と自然画とがそれぞれ強調画像と非強調画像とに区分される場合について説明したが、静止画と動画とがそれぞれ強調画像と非強調画像とに区分されてもよい。この場合には、画像区分実行部２４０Ｂは、原画像と、該原画像の直前の画像と、を比較し、２つの画像の異同に応じて、原画像の区分を実行すればよい。具体的には、２つの画像が同じ場合には、該原画像は、静止画である可能性が高いため、強調画像に区分され、２つの画像が異なる場合には、該原画像は、動画の一部を構成する画像である可能性が高いため、非強調画像に区分されればよい。
【０１１２】
ステップＳ３３０（図１２）において、原画像が強調画像に区分される場合には、ステップＳ３４０に進み、原画像が非強調画像に区分される場合には、ステップＳ３５０に進む。
【０１１３】
ステップＳ３４０では、処理実行部２５０Ｂは、強調画像に対して、強調処理を実行する。具体的には、図７のステップＳ２３０と同様に、強調画像内の各画素に対して、前述のステップＳ２３２，Ｓ２３４，Ｓ２３６の処理が実行される。
【０１１４】
一方、ステップＳ３５０では、処理実行部２５０Ｂは、非強調画像に対して、非強調処理を実行する。具体的には、図７のステップＳ２４０と同様に、非強調画像内の各画素に対して、前述のステップＳ２４２，Ｓ２４４，Ｓ２４６の処理が実行される。
【０１１５】
ステップＳ３６０では、ステップＳ１５０と同様に、処理実行部２５０Ｂは、ステップＳ３４０，３５０で得られた処理済み画像データを変調制御部２２０に供給する。変調制御部２２０は、処理済み画像データを用いて、液晶ライトバルブ１２０Ｒ，Ｇ，Ｂを制御する。この結果、スクリーンＳＣ上には、強調画像が強調された複数の処理済み画像が順次表示される。
【０１１６】
これにより、プロジェクタＰＪは、複数の原画像のうちの強調画像内の各画素の色を、スクリーンＳＣ上で自然界に存在しない不自然な色で表現することができると共に、複数の原画像のうちの非強調画像内の各画素の色を、スクリーンＳＣ上で自然界に存在する自然な色で表現することができる。
【０１１７】
以上説明したように、本実施例では、画像処理部２３０Ｂは、原画像を強調画像と非強調画像とに区分し、強調画像内の画素の色を、ポインタガマットＷＰ外の色に設定すると共に、非強調画像内の画素の色を、ポインタガマットＷＰ内の色に設定する。このため、ポインタガマットＷＰ外の色を利用して強調画像を表示することができる。また、順次与えられる複数の原画像のうちの強調画像を非強調画像よりも目立たせることができる。
【０１１８】
なお、本実施例では、ステップＳ３４０，Ｓ３５０では、図９に示す強調処理，非強調処理が実行されるが、これに代えて、第１実施例の変形例と同様に、図１０に示す強調処理，非強調処理が実行されてもよい。この場合にも、第２実施例と同様に、ポインタガマットＷＰ外の色を利用して画像を表示することができる。
【０１１９】
なお、この発明は上記の実施例や実施形態に限られるものではなく、その要旨を逸脱しない範囲において種々の態様において実施することが可能であり、例えば次のような変形も可能である。
【０１２０】
（１）上記実施例では、強調処理および非強調処理において、色空間の変換処理（ステップＳ２３２，Ｓ２３６，Ｓ２４２，Ｓ２４６）と、色の変更処理（ステップＳ２３４，Ｓ２４４）とが、実行されているが、これらの処理は省略可能である。この場合には、処理実行部２５０，２５０Ｂは、図９（Ｂ），図１０（Ｂ）に示す関係が登録されたテーブルを備え、該テーブルを参照して、強調処理と非強調処理とを実行すればよい。
【０１２１】
（２）上記実施例では、強調処理および非強調処理において、図９（Ａ），図９（Ｂ）に示すように、Ｌ*ａ*ｂ*色空間で入力値と出力値とが線形となるように、画素の彩度が変更されているが、これに代えて、Ｌ*ａ*ｂ*色空間で入力値と出力値とが非線形となるように、画素の彩度が変更されてもよい。
【０１２２】
一般には、第１種の処理は、第１種の画素の彩度を、所定の色域外の彩度に変更する処理を含んでいればよく、第２種の処理は、第２種の画素の彩度を、所定の色域内の彩度に変更する処理を含んでいればよい。
【０１２３】
（３）上記実施例では、強調処理および非強調処理において、画素の彩度が変更されているが、これと共に、あるいは、これに代えて、画素の明度と色相との少なくとも一方が変更されてもよい。
【０１２４】
また、上記実施例では、非強調処理において、画素の彩度が変更されているが、これに代えて、画素の彩度が維持されてもよい。こうすれば、非強調領域では、原画像の意図する色が忠実に再現される。
【０１２５】
一般には、第１種の画素に対して、該第１種の画素の色を所定の色域外の色に設定可能な第１種の処理が実行され、第２種の画素に対して、該第２種の画素の色を所定の色域内の色に設定する第２種の処理が実行されればよい。
【０１２６】
（４）第１実施例では、プロジェクタＰＪの色域ＷｏがポインタガマットＷＰを完全に包含していない場合を想定しており、第２実施例では、プロジェクタＰＪＢの色域ＷｏがポインタガマットＷＰを完全に包含している場合を想定している。一般には、プロジェクタの色域Ｗｏ内に、該色域Ｗｏから重なり領域Ｗａを除いた領域が存在する場合に、本発明を適用可能である。
【０１２７】
なお、プロジェクタの色域Ｗｏは、例えば、３つの発光デバイスから射出される３種類の光の色を変更したり、４種類以上の色光を射出する４以上の発光デバイスを利用したりすることによって、広げることができる。なお、通常、４以上の発光デバイスが利用される場合には、４以上の液晶ライトバルブが利用される。
【０１２８】
（５）上記実施例では、前述の所定の色域として、ポインタガマットＷＰが想定されているが、これに代えて、入力系の色域や特定の色域などの他の色域が想定されてもよい。他の色域としては、例えば、物体色の理論限界を示すオプティマルガマット（Optimal Gamut：最明色）や、マンセル色票、ｓＲＧＢの色域、ｘｖＹＣＣの色域などが利用されてもよい。ただし、上記実施例のように、所定の色域としてポインタガマットＷＰを想定すれば、第１種の画素の色が、自然界に存在しない不自然な色に設定されるため、第１種の画素を第２種の画素よりもかなり目立たせることができるという利点がある。
【０１２９】
（６）上記実施例では、各発光デバイス１１２Ｒ，Ｇ，Ｂは、各色光を射出する半導体レーザを備えているが、これに代えて、基本波（赤外光）を射出する半導体レーザと、第２高調波発生（ＳＨＧ）現象を利用して２次高調波を発生させる波長変換素子と、外部共振器を構成するミラーと、を備えていてもよい。
【０１３０】
また、上記実施例では、発光デバイス１１２Ｒ，Ｇ，Ｂは、半導体レーザを備えているが、これに代えて、発光ダイオード（ＬＥＤ）などの他の固体光源（半導体発光素子）を備えていてもよい。
【０１３１】
上記実施例では、プロジェクタＰＪは、液晶ライトバルブ１２０Ｒ，Ｇ，Ｂを備えているが、これに代えて、ＤＭＤ（デジタル・マイクロミラー・デバイス）などのマイクロミラー型の光変調デバイスを備えていてもよい。
【０１３２】
また、上記実施例では、投写型の画像表示装置に本発明が適用されているが、これに代えて、直視型の画像表示装置に本発明が適用されてもよい。
【０１３３】
一般には、画像表示装置は、所定の色域外の色を有する光を含む複数種の光を発光する発光部と、発光部から射出される複数種の光を、処理済み画像データに応じて変調する非自発光型の光変調部と、を備えていればよい。
【０１３４】
あるいは、上記実施例では、プロジェクタＰＪは、液晶ライトバルブ１２０Ｒ，Ｇ，Ｂを備えているが、これに代えて、ＥＬ（Electric Luminescence）パネルや、ＰＤＰ（プラズマディスプレイパネル）などの自発光タイプのパネルを備えていてもよい。
【０１３５】
すなわち、画像表示装置は、処理済み画像データに応じて、所定の色域外の色を有する光を含む複数種の光を発光する自発光型の光変調部を備えていてもよい。
【０１３６】
上記の説明から分かるように、一般には、画像表示装置は、所定の色域外の色を再現可能な画像表示部を備えていればよい。
【０１３７】
（７）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【０１３８】
【図１】第１実施例におけるプロジェクタＰＪの概略構成を示す説明図である。
【図２】ポインタガマットＷＰを示す説明図である。
【図３】色域の変換処理を示す説明図である。
【図４】プロジェクタＰＪが再現可能な色域を示す説明図である。
【図５】第１実施例における画像処理の手順を示すフローチャートである。
【図６】原画像内の強調領域の例を示す説明図である。
【図７】ステップＳ１４０（図５）の具体的な処理手順を示すフローチャートである。
【図８】図７のステップＳ２３４，Ｓ２４４の色変更処理の概要を示す説明図である。
【図９】図７のステップＳ２３０の強調処理の内容と、図７のステップＳ２４０の非強調処理の内容と、を模式的に示す説明図である。
【図１０】変形例における図７のステップＳ２３０の強調処理の内容と、図７のステップＳ２４０の非強調処理の内容と、を模式的に示す説明図である。
【図１１】第２実施例におけるプロジェクタＰＪＢの概略構成を示す説明図である。
【図１２】第２実施例における画像処理の手順を示すフローチャートである。
【図１３】強調画像の例と非強調画像の例とを示す説明図である。
【符号の説明】
【０１３９】
１１０Ｒ，Ｇ，Ｂ…照明光学系
１１２Ｒ，Ｇ，Ｂ…発光デバイス
１２０Ｒ，Ｇ，Ｂ…液晶ライトバルブ
１３０…投写光学系
２００，２００Ｂ…制御回路
２１０…発光制御部
２２０…変調制御部
２３０，２３０Ｂ…画像処理部
２４０…領域区分実行部
２４０Ｂ…画像区分実行部
２４２，２４２Ｂ…条件設定部
２５０，２５０Ｂ…処理実行部
２５２，２５２Ｂ…強調処理部
２５４，２５４Ｂ…非強調処理部
ＰＪ，ＰＪＢ…プロジェクタ
ＳＣ…スクリーン
【図１】
0005343339.tif 000002
【図２】
0005343339.tif 000003
【図３】
0005343339.tif 000004
【図４】
0005343339.tif 000005
【図５】
0005343339.tif 000006
【図６】
0005343339.tif 000007
【図７】
0005343339.tif 000008
【図８】
0005343339.tif 000009
【図９】
0005343339.tif 000010
【図１０】
0005343339.tif 000011
【図１１】
0005343339.tif 000012
【図１２】
0005343339.tif 000013
【図１３】
0005343339.tif 000014